(57)【特許請求の範囲】
【請求項１】
複数の機能を備えた複合機であって、
認証情報入力ユニットを利用して、前記機能の利用を希望するユーザの認証情報を取得する認証情報取得ユニットと、
前記取得した認証情報に基づいて前記利用希望ユーザが利用権限を有するか否かを判断し、前記利用希望ユーザが利用権限を有すると判断したことを条件に前記機能を利用可能にする利用制限ユニットと、
前記認証情報入力ユニット、前記認証情報取得ユニット、及び前記利用制限ユニットのうち少なくとも１つについて、正常に動作するか否かを判断する動作判断ユニットと、
正常に動作しないと判断されたユニットがある場合に、ユーザによって設定変更モードへの移行操作が行われたことを条件に設定変更モードに移行し、ユーザからの入力に基づいて前記利用制限ユニットに関する設定変更を行う設定変更ユニットと、を備え、
前記利用制限ユニットは、前記取得した認証情報を含む認証要求を認証サーバに送信し、該認証要求に対して前記認証サーバから認証成否情報を受信し、該認証成否情報に基づいて前記利用希望ユーザが利用権限を有するか否かを判断し、
前記動作判断ユニットは、前記利用制限ユニットが前記認証サーバ又は通信ネットワークの障害により認証成否情報を受信できない場合、前記利用制限ユニットが正常に動作しないと判断し、
前記設定変更ユニットは、前記利用制限ユニットが正常に動作しないと判断された場合に、設定変更モードにおけるユーザからの入力に基づいて、前記認証要求の送信先を変更することを特徴とする複合機。
【請求項２】
前記設定変更モードへの移行操作は、管理者パスワードの入力操作を含むことを特徴とする請求項１記載の複合機。
【請求項３】
複数の機能を備えた複合機の利用制限方法であって、
認証情報入力ユニットを利用して、前記機能の利用を希望するユーザの認証情報を取得する認証情報取得工程と、
前記取得した認証情報に基づいて前記利用希望ユーザが利用権限を有するか否かを判断し、前記利用希望ユーザが利用権限を有すると判断したことを条件に前記機能を利用可能にする利用制限工程と、
前記認証情報入力ユニット、前記認証情報取得工程を実行するユニット、及び前記利用制限工程を実行するユニットのうち少なくとも１つについて、正常に動作するか否かを判断する動作判断工程と、
正常に動作しないと判断されたユニットがある場合に、ユーザによって設定変更モードへの移行操作が行われたことを条件に設定変更モードに移行し、ユーザからの入力に基づいて前記利用制限工程に関する設定変更を行う設定変更工程と、を備え、
前記利用制限工程を実行するユニットは、前記取得した認証情報を含む認証要求を認証サーバに送信し、該認証要求に対して前記認証サーバから認証成否情報を受信し、該認証成否情報に基づいて前記利用希望ユーザが利用権限を有するか否かを判断し、
前記動作判断工程を実行するユニットは、前記利用制限工程を実行するユニットが前記認証サーバ又は通信ネットワークの障害により認証成否情報を受信できない場合、前記利用制限工程を実行するユニットが正常に動作しないと判断し、
前記設定変更工程を実行するユニットは、前記利用制限工程を実行するユニットが正常に動作しないと判断された場合に、設定変更モードにおけるユーザからの入力に基づいて、前記認証要求の送信先を変更することを特徴とする利用制限方法。
【請求項４】
請求項３記載の利用制限方法をコンピュータで実行させるためのプログラム。
【発明の詳細な説明】
【技術分野】
【０００１】
本発明は、複数の機能を備える複合機に関する。
【背景技術】
【０００２】
従来より、画像形成機能、画像読取機能、ファックス通信機能などの複数の機能を実行することのできる複合機において、セキュリティの観点から正規のユーザにのみ複合機を利用させるべく、ユーザ認証に基づく利用制限機能（ログイン機能）を備えたものが知られている（特許文献１参照）。このような複合機は、ログイン機能を実現するための各種ユニット（カードリーダなどの認証デバイス、通信ネットワークを介して認証サーバと通信するためのインタフェース、それらを制御するためのドライバなど）を備えている。
【特許文献１】特開２００６−２１５７７０号公報
【発明の開示】
【発明が解決しようとする課題】
【０００３】
従来のログイン機能を備えた複合機は、管理者（管理権限を有するユーザ）がログインした状態であれば、ログイン機能の有効／無効を切り替えることができるように構成されている場合が多い。
【０００４】
ここで、ログイン機能が有効に設定された状態で、ログイン機能を実現する各種ユニットに障害が生じ、ログインを行うことができなくなった場合、正規ユーザであっても複合機を継続して使用することができなくなる。この場合、管理者がログイン機能を無効にすることで正規ユーザの継続使用を可能にしようと考えても、管理者自体がもはや複合機にログインできないため、ログイン機能を無効にして複合機の継続使用を可能とすることができない。
【０００５】
従来、このような状況が生じると、まず複合機の再起動を行い、それでも障害が回復しない場合は、複合機メーカ等のサービスマンを呼んでハードウェア等を交換・修理してもらう必要があったため、ユーザは、交換・修理が完了するまで複合機を使用できず、不便を強いられることになっていた。
【０００６】
そこで、本発明は、ログイン機能を備えた複合機において、ログイン機能を実現するユニットに障害が生じた場合でも、ログイン機能の設定を柔軟に変更して複合機を継続して使用することができる新しい技術を提供することを目的とする。
【課題を解決するための手段】
【０００７】
本発明の複合機は、複数の機能を備えた複合機であって、認証情報入力ユニットを利用して、前記機能の利用を希望するユーザの認証情報を取得する認証情報取得ユニットと、前記取得した認証情報に基づいて前記利用希望ユーザが利用権限を有するか否かを判断し、前記利用希望ユーザが利用権限を有すると判断したことを条件に前記機能を利用可能にする利用制限ユニットと、前記認証情報入力ユニット、前記認証情報取得ユニット、及び前記利用制限ユニットのうち少なくとも１つについて、正常に動作するか否かを判断する動作判断ユニットと、正常に動作しないと判断されたユニットがある場合に、ユーザによって設定変更モードへの移行操作が行われたことを条件に設定変更モードに移行し、ユーザからの入力に基づいて前記利用制限ユニットに関する設定変更を行う設定変更ユニットと、を備えることを特徴とする。
【０００８】
かかる構成によれば、前記認証情報入力ユニット、前記認証情報取得ユニット、及び前記利用制限ユニットのうち少なくとも１つが正常に動作しない場合、前記利用制限ユニットによる利用制限を受けることなく設定変更モードに移行し、前記利用制限ユニットの設定変更を行うことができる。
【０００９】
好適には、前記設定変更ユニットは、設定変更モードにおけるユーザからの入力に基づいて、前記利用制限ユニットを無効にする設定を行うことを特徴とする。
【００１０】
また好適には、前記利用制限ユニットは、前記取得した認証情報を含む認証要求を認証サーバに送信し、該認証要求に対して前記認証サーバから認証成否情報を受信し、該認証成否情報に基づいて前記利用希望ユーザが利用権限を有するか否かを判断し、前記動作判断ユニットは、前記利用制限ユニットが前記認証サーバ又は通信ネットワークの障害により認証成否情報を受信できない場合、前記利用制限ユニットが正常に動作しないと判断し、前記設定変更ユニットは、前記利用制限ユニットが正常に動作しないと判断された場合に、設定変更モードにおけるユーザからの入力に基づいて、前記認証要求の送信先を変更することを特徴とする。
【００１１】
かかる構成によれば、設定変更モードにおいて、前記利用制限ユニットを無効にし、又は認証要求の送信先を変更することができるので、ユーザは、前記利用制限ユニットによる利用制限を受けずに、又は、正常に動作する認証サーバを利用して、複合機の機能を継続して利用することが可能となる。
【００１２】
好適には、前記設定変更モードへの移行操作は、管理者パスワードの入力操作を含むことを特徴とする。かかる構成によれば、管理者のみが複合機を設定変更モードに移行させることができるので、管理者以外が前記利用制限ユニットに関する設定変更を行うことを防止することができる。
【００１３】
本発明の利用制限方法は、複数の機能を備えた複合機の利用制限方法であって、認証情報入力ユニットを利用して、前記機能の利用を希望するユーザの認証情報を取得する認証情報取得工程と、前記取得した認証情報に基づいて前記利用希望ユーザが利用権限を有するか否かを判断し、前記利用希望ユーザが利用権限を有すると判断したことを条件に前記機能を利用可能にする利用制限工程と、前記認証情報入力ユニット、前記認証情報取得工程を実行するユニット、及び前記利用制限工程を実行するユニットのうち少なくとも１つについて、正常に動作するか否かを判断する動作判断工程と、正常に動作しないと判断されたユニットがある場合に、ユーザによって設定変更モードへの移行操作が行われたことを条件に設定変更モードに移行し、ユーザからの入力に基づいて前記利用制限工程に関する設定変更を行う設定変更工程と、を備えることを特徴とする。
【００１４】
本発明の利用制限方法は、複合機が備えるＣＰＵにより実施することができるが、そのためのプログラムは、ＣＤ−ＲＯＭ、磁気ディスク、半導体メモリ及び通信ネットワークなどの各種の媒体を通じてインストールまたはロードすることができる。
【００１５】
なお、本明細書において、ユニットとは、ハードウェアにより実現されるユニット、ソフトウェアにより実現されるユニット、両方を用いて実現されるユニットを含む。また１つのユニットが２つ以上のハードウェアを用いて実現されてもよく、２つ以上のユニットが１つのハードウェアにより実現されても良い。
【発明の効果】
【００１６】
以上、本発明によれば、ログイン機能を備えた複合機において、ログイン機能を実現するユニットに障害が生じた場合でも、ログイン機能の設定を柔軟に変更して複合機を継続して使用することができる新しい技術を提供することができる。
【発明を実施するための最良の形態】
【００１７】
（第１の実施形態）
図１は、本発明の実施形態である複合機１を含む情報処理システム１００の概略構成を示すブロック図である。
【００１８】
図１に示すように、情報処理システムは、複合機１、通信ネットワークＮを介して複合機１に接続され、複合機１に印刷ジョブを送信する端末装置２、ＦＡＸ回線を介して複合機１に接続され、複合機１との間でＦＡＸデータを送受信するＦＡＸ装置３、通信ネットワークＮを介して複合機１に接続され、認証処理を実行する認証サーバ４などを含んでいる。
【００１９】
図１では、複合機１、端末装置２、ＦＡＸ装置３、認証サーバ４を１台ずつ記載しているが、情報処理システム１００は、設計に応じてそれぞれを１台以上含んでいてよい。また、通信ネットワークＮは、ＬＡＮ、インターネット、専用線、パケット通信網、それらの組み合わせ等のいずれであってもよく、有線、無線の両方を含んでいてよい。
【００２０】
複合機１は、コントローラユニット１０、操作パネルユニット１１、プリンタユニット１２、スキャナユニット１３、ファックス通信ユニット１４、認証デバイスユニット１５などのハードウェアユニットを備えている。
【００２１】
各ハードウェアユニットの構成は、原則として従来の複合機と同様である。例えばコントローラユニット１０は、従来と同様に、ＣＰＵ、メモリ（ＲＯＭ、ＲＡＭ、ＥＥＰＲＯＭ（登録商標）など）、操作パネルＩ／Ｆ、プリンタＩ／Ｆ、スキャナＩ／Ｆ、ファックスＩ／Ｆ、ネットワークＩ／Ｆ、認証デバイスＩ／Ｆ等のハードウェアを備えている。また認証デバイスユニット１５としては、例えばカードリーダユニットなどを用いることができる。
【００２２】
コントローラユニット１０のＣＰＵがメモリに格納されるプログラムを実行し、各ハードウェアユニットを制御することにより、複合機１の各機能ユニットが実現される。
【００２３】
図２に、複合機１の代表的な機能ユニットを示す。同図に示すように、複合機１は、複合機１の動作全体を制御する機能として、全体制御ユニット２０を備えている。また、基本機能として、画像形成ユニット２１、画像読取ユニット２２、ファックスユニット２３などの機能ユニットを備えている。
【００２４】
更に、ユーザ認証に基づく利用制限機能（ログイン機能）として、従来同様、認証デバイスユニット１５を利用して、複合機１の基本機能の利用を希望するユーザ（利用希望ユーザ）の認証情報を取得する認証情報取得ユニット２４、前記取得した認証情報に基づいて利用希望ユーザが利用権限を有するか否かを判断し、利用希望ユーザが利用権限を有すると判断したことを条件に基本機能を利用可能にする利用制限ユニット２５、基本機能が利用可能な状態にある場合に、ユーザによって設定変更モードへの移行操作が行われたことを条件に設定変更モードに移行し、ユーザからの入力に基づいて複合機１の設定変更を行う設定変更ユニット２６などを備えている。
【００２５】
ただし、本実施形態の複合機１は、更に、認証デバイスユニット１５、認証情報取得ユニット２４、及び利用制限ユニット２５について、正常に動作するか否かを判断する動作判断ユニット２７を備えている点、及び、設定変更ユニット２６が、動作判断ユニット２７によって正常に動作しないと判断されたユニットがある場合に、ユーザによって設定変更モードへの移行操作が行われたことを条件に設定変更モードに移行し、ユーザからの入力に基づいて設定変更を行う点で、従来の複合機の構成とは異なっている。
【００２６】
ここで、設定変更モードは、管理者（複合機１の管理権限を有するユーザ）が複合機１の各種設定を行うモードである。従って、設定変更モードへの移行操作は、管理者のみが実施できるような操作、例えば管理者パスワードの入力操作などを含む。
【００２７】
本実施形態の複合機１（設定変更ユニット２６）は、設定変更モードにおいて、利用制限ユニット２５による利用制限パターンを設定することができるように構成される。
【００２８】
具体的には、利用制限ユニット２５による利用制限パターンとして、（１）操作パネルユニット１１を介して複合機１を操作する直接操作ユーザのうち認証が成功したユーザについてのみ利用を許可するパターン（利用制限ユニット２５を有効にするパターン）、（２）直接操作ユーザのうち認証が成功したユーザと、端末装置２などの外部装置から複合機１に対してジョブ情報（印刷ジョブなど）を送信する遠隔操作ユーザとに利用を許可するパターン（利用制限ユニット２５を一部有効にするパターン）、（３）全ユーザに利用を許可するパターン（利用制限ユニット２５を無効にするパターン）を設定することができる。設定された利用制限パターンの情報はＥＥＰＲＯＭ（登録商標）などの不揮発性メモリに記憶され、複合機１の電源ＯＦＦ後も記憶内容が保持される。
【００２９】
情報処理システム１００に含まれる端末装置２、ＦＡＸ装置３、認証サーバ４は、いずれも従来と同様の構成・機能を備える。例えば認証サーバ４は、複合機１から送信される認証要求に基づいて認証処理を実行し、その結果である認証成否情報を複合機１に返信する機能を備えている。
【００３０】
以下、図３〜図６に示すフローチャートを参照して、複合機１の各種動作を説明する。なお、本明細書において、フローチャート等に示す各工程（符号が付与されていない部分的な工程を含む）は処理内容に矛盾を生じない範囲で任意に順番を変更して又は並列に実行することができる。
【００３１】
（起動時処理）
図３のフローチャートは、複合機１の起動時処理を示す。
【００３２】
複合機１の電源がＯＮされると、全体制御ユニット２０は、不揮発性メモリから利用制限ユニット２５の利用制限パターンを読み出す（Ｓ１００）。
【００３３】
次に、全体制御ユニット２０は、前記読み出した利用制限パターンが、利用制限ユニット２５の有効を示すか無効を示すかを判断する（Ｓ１０１）。
【００３４】
具体的には、利用制限ユニット２５の利用制限パターンが上述したパターン（１）及びパターン（２）である場合、利用制限ユニット２５の有効を示すと判断し、パターン（３）である場合、利用制限ユニット２５の無効を示すと判断する。
【００３５】
全体制御ユニット２０は、前記読み出した利用制限パターンが利用制限ユニット２５の無効を示す場合、図４に示すログイン機能無効時処理に移行する。
【００３６】
一方、利用制限ユニット２５の有効を示す場合、動作判断ユニット２７は、認証デバイスユニット１５、認証情報取得ユニット２４、利用制限ユニット２５について、正常に動作するか否かを判断する（Ｓ１０２）。
【００３７】
例えば、認証デバイスユニット１５に対して送信したステータス確認信号に応じて、認証デバイスユニット１５からステータス応答信号を受信できるかどうか、受信できた場合、ステータス応答信号が正常を示すかどうかに基づいて、認証デバイスユニット１５が正常に動作するか否かを判断する。また、認証情報取得ユニット２４や利用制限ユニット２５については、各ユニットに関するプログラムやデータのチェックサム等により正常に動作するか否かを判断する。更に、認証情報取得ユニット２４については、認証サーバ４との間で通信が行えるかどうか（例えば、通信ネットワークＮや認証サーバ４自体に障害が生じていないかどうか）に基づいて、正常に動作するか否かを判断する。なお、各ユニットが正常に動作するか否かの判断については、上記以外にも、種々の周知の手法を採用することができる。
【００３８】
動作判断ユニット２７が各ユニットについて正常に動作すると判断した場合、図５に示すログイン機能有効時処理に移行する。一方、いずれかのユニットについて正常に動作しないと判断した場合、図７に示すログイン機能エラー時処理に移行する。
【００３９】
（ログイン機能無効時処理）
図４のフローチャートは、複合機１のログイン機能無効時処理を示す。
【００４０】
全体制御ユニット２０は、操作パネルユニット１１の表示部に基本機能等を選択するためのメニュー画面を表示し（Ｓ２００）、利用希望ユーザによるパネル操作を待機する（Ｓ２０１）。図８に、基本機能メニュー画面が表示された操作パネルの例を模式的に示す。
【００４１】
利用希望ユーザによるパネル操作を検出すると、全体制御ユニット２０は、従来と同様に、各ユニットを制御して前記検出したパネル操作に応じた処理を実行し（Ｓ２０２）、処理の終了後、Ｓ２００に再帰する。
【００４２】
（ログイン機能有効時処理）
図５、図６のフローチャートは、複合機１のログイン機能有効時処理を示す。なお、ログイン機能有効時に外部装置からジョブ情報を受け付けた場合の処理は従来と同様であるため説明を省略する。
【００４３】
全体制御ユニット２０は、操作パネルユニット１１の表示部にログイン待機画面を表示する（Ｓ３００）。
【００４４】
次に、動作判断ユニット２７は、認証デバイスユニット１５、認証情報取得ユニット２４、利用制限ユニット２５について、正常に動作するか否かを判断する（Ｓ３０１）。
【００４５】
動作判断ユニット２７がいずれかのユニットについて正常に動作しないと判断した場合、図６に示すログイン機能エラー時処理に移行する。
【００４６】
一方、動作判断ユニット２７が各ユニットについて正常に動作すると判断した場合、認証情報取得ユニット２４は、利用希望ユーザが認証デバイスユニット１５に対して認証情報の入力操作を行うのを待機する（Ｓ３０２）。認証情報が入力されないまま一定時間が経過した場合、Ｓ３００に再帰する。
【００４７】
認証デバイスユニット１５に対して認証情報の入力操作が行われた場合、認証情報取得ユニット２４は、認証デバイスユニット１５を介して利用希望ユーザの認証情報を取得する（Ｓ３０３）。
【００４８】
次に、利用制限ユニット２５は、前記取得した認証情報を含むように認証要求を作成して、認証サーバ４に対し送信する（Ｓ３０４）。
【００４９】
認証サーバ４は、複合機１から送信される認証要求を受信した場合、従来と同様に、該認証要求に基づいて認証処理を実行し、その結果である認証成否情報を複合機１に返信する。また認証が成功した場合は、認証情報に対応するユーザが複合機１にログインしたことを記録・管理する。
【００５０】
認証サーバ４から前記認証要求に対する返信として認証成否情報を受信した場合（Ｓ３０５）、利用制限ユニット２５は、該認証成否情報に基づいて利用希望ユーザが利用権限を有するか否かを判断する（Ｓ３０６）。
【００５１】
認証成否情報が認証失敗を示す場合、利用制限ユニット２５は、利用希望ユーザが利用権限を有しないと判断し、利用希望ユーザに対して複合機１の基本機能が利用可能とならないように制御する。具体的には、操作パネルユニット１１の表示部に認証が失敗したことを示すメッセージ等を表示し（Ｓ３０７）、一定時間経過後、Ｓ３００に再帰するよう制御する。
【００５２】
一方、認証成否情報が認証成功を示す場合、利用制限ユニット２５は、利用希望ユーザが利用権限を有すると判断し、利用希望ユーザに対して複合機１の基本機能が利用可能となるように制御する。具体的には、複合機１のメモリに利用希望ユーザがログインしたことを示す情報を記録し（Ｓ３０８）、認証成功時処理に進むよう制御する。
【００５３】
認証成功時処理では、全体制御ユニット２０は、操作パネルユニット１１の表示部に基本機能等を選択するための基本機能メニュー画面を表示し（Ｓ３０９）、利用希望ユーザによるパネル操作を待機する（Ｓ３１０）。Ｓ３０９で表示される基本機能メニュー画面はＳ２００で表示されるものと原則として同様である。ただし、表示部の表示や操作パネルのランプ等により、ログイン機能有効時の処理であること（利用希望ユーザがログインしていること）を提示するように構成してもよい。
【００５４】
利用希望ユーザによるパネル操作を検出すると、全体制御ユニット２０は、前記検出したパネル操作がログアウト操作であるか否かを判断する（Ｓ３１１）。
【００５５】
ログアウト操作でない場合、全体制御ユニット２０は、従来と同様に、各ユニットを制御して前記検出したパネル操作に応じた処理を実行し（Ｓ３１２）、処理の終了後、Ｓ３０９に再帰する。
【００５６】
一方、ログアウト操作である場合、利用制限ユニット２５は、複合機１のメモリに利用希望ユーザがログアウトしたことを示す情報を記録するとともに、利用希望ユーザの認証情報を含むようにログアウト通知を作成して、認証サーバ４に対し送信する（Ｓ３１３）。その後、複合機１の処理はＳ３００に移行する。
【００５７】
認証サーバ４は、複合機１から送信されるログアウト通知を受信した場合、従来と同様に、ログアウト通知に含まれる認証情報に対応するユーザが複合機１からログアウトしたことを記録・管理する。
【００５８】
（ログイン機能エラー時処理）
図７のフローチャートは、複合機１のログイン機能エラー時処理を示す。
【００５９】
設定変更ユニット２６は、ログイン機能に障害が生じていることをユーザに報知するために、操作パネルユニット１１の表示部にログイン機能エラー画面を表示し（Ｓ４００）、設定変更モードへの移行操作を待機する。図９（Ａ）に、ログイン機能エラー画面が表示された操作パネルの例を模式的に示す。この例では、ログイン機能エラー画面に、ユーザに促す行動の選択肢として、複合機１の再起動に進む第１の選択肢「電源再投入」と、設定変更モードへの移行操作入力に進む第２の選択肢「設定変更モードへ移行」とを表示している。
【００６０】
ここで本実施形態では、設定変更モードへの移行操作を、操作パネルユニット１１に配された「各種設定」ボタンの押下操作、及び、それに続く管理者パスワードの入力操作と規定する。
【００６１】
従って、設定変更ユニット２６は、まず「各種設定」ボタンの押下操作を待機する（Ｓ４０１）。このとき、ログイン機能エラー時処理において複合機１の基本機能の操作などが行なわれてしまうことを防止すべく、「各種設定」ボタンの押下以外の操作を受け付けないように構成することが望ましい。
【００６２】
ユーザによる「各種設定」ボタンの押下操作を検出すると、設定変更ユニット２６は、操作パネルユニット１１の表示部にパスワード入力画面を表示し（Ｓ４０２）、管理者パスワードの入力操作を待機する（Ｓ４０３）。図９（Ｂ）に、パスワード入力画面が表示された操作パネルの例を模式的に示す。
【００６３】
ユーザによる管理者パスワードの入力操作を検出すると（入力されたパスワードと不揮発性メモリに予め記憶した管理者パスワードとが一致することを検出すると）、設定変更ユニット２６は、設定変更モードに移行する。具体的には、操作パネルユニット１１の表示部に設定変更メニュー画面を表示し（Ｓ４０４）、各種の設定変更操作を待機する（Ｓ４０５）。
【００６４】
ここで、本実施形態の設定変更ユニット２６は、Ｓ４０５において、利用制限ユニット２５による利用制限パターンの変更操作を受け付けるように構成される。具体的には、設定変更メニュー画面には、利用制限の設定変更を行うための選択肢「利用制限設定変更」が表示され、ユーザが該選択肢を選択すると、表示部に利用制限設定変更画面が表示される。利用制限設定変更画面には、利用制限ユニット２５の利用制限パターンの設定変更を行うための選択肢「利用制限パターン」が表示され、ユーザが該選択肢を選択すると、表示部に利用制限パターン選択画面が表示される。ユーザは、利用制限パターン選択画面を利用して、利用制限ユニット２５の利用制限パターンとして、パターン（１）〜（３）から一つを選択して設定することができる。図１０（Ａ）〜（Ｃ）に、設定変更メニュー画
面、利用制限設定変更画面、利用制限パターン選択画面がそれぞれ表示された操作パネルの例を模式的に示す。
【００６５】
ユーザによる利用制限パターンの変更操作を検出すると、設定変更ユニット２６は、ユーザが選択した利用制限パターンを不揮発性メモリに記憶する（Ｓ４０６）。
【００６６】
次に、設定変更ユニット２６は、操作パネルユニット１１の表示部に再起動確認画面を表示し（Ｓ４０７）、再起動操作を待機する（Ｓ４０８）。
【００６７】
ユーザが再起動操作を行った場合、複合機１の再起動が実行される（Ｓ４０９）。その結果、起動時処理が実行され、Ｓ４０６で不揮発性メモリに記憶された利用制限ユニット２５の利用制限パターンに基づき、利用制限ユニット２５の有効／無効が判断される。
【００６８】
なお、Ｓ４０５において他の設定変更操作が検出された場合、設定変更ユニット２６は、各操作に応じた設定変更処理を実行する（Ｓ４１０）。
【００６９】
このように本実施形態の複合機１は、起動時処理や、ログイン機能有効時処理の認証が行われる前の段階で、ログイン機能を実現する各ユニットが正常に動作するか否かを判断し、正常に動作しないと判断した場合に、管理者による移行操作が行われたことを条件に設定変更モードへ移行し、利用制限ユニット２５の利用制限パターンを変更することができるように構成されている。
【００７０】
かかる構成によれば、管理者は、ログイン機能が有効に設定された状態でログイン機能を実現する各ユニットに障害が生じた場合でも、利用制限ユニット２５による利用制限を受けることなく設定変更モードに移行し、利用制限ユニット２５による利用制限パターンを設定変更することができる。従って、管理者が、設定変更モードにおいて利用制限ユニット２５を無効にする利用制限パターンを選択し、その後、複合機１を再起動すれば、利用希望ユーザは、利用制限ユニット２５による利用制限を受けずに、複合機１の基本機能を継続して利用することが可能となる。
【００７１】
（変形例）
本発明は、上記実施形態に限定されることなく種々に変形して適用することが可能である。例えば、上記実施形態では、基本機能として、画像形成機能、画像読取機能、ＦＡＸ機能を備える複合機について説明したが、本発明は、このような基本機能を備える複合機に限定されるものではない。例えば、複合機が、画像読取機能やＦＡＸ通信機能を備えていない場合であっても、画像形成機能として両面印刷、片面印刷、２ＵＰ印刷など複数の印刷機能を備えている場合は、本発明を適用できる。また上記以外の基本機能を備える複合機に対しても本発明を適用することができる。
【００７２】
また上記実施形態では、設定変更ユニット２６について、Ｓ４０５において利用制限ユニット２５による利用制限パターンの変更操作を受け付ける場合について説明しているが、このような構成に加えて／代えて、Ｓ４０５において認証要求の送信先の変更操作を受け付けるように設定変更ユニット２６を構成してもよい。
【００７３】
具体的には、次のように構成する。設定変更メニュー画面には、図１０（Ａ）に示すように利用制限設定変更を示す選択肢が表示され、ユーザが該選択肢を選択すると、表示部に利用制限設定変更画面が表示される。利用制限設定変更画面には、図１０（Ｂ）に示すように認証要求の送信先の設定変更を示す選択肢「認証サーバＩＰアドレス変更」が表示され、ユーザが該選択肢を選択すると、表示部に認証要求送信先選択画面が表示される。ユーザは、認証要求送信先選択画面を利用して、認証サーバのＩＰアドレスを入力するなどにより、認証要求を送信する認証サーバを選択することができる。
【００７４】
この場合、設定変更ユニット２６は、ユーザによる認証要求の送信先の変更操作を検出すると、ユーザが選択した認証要求の送信先を不揮発性メモリに記憶する。次に、設定変更ユニット２６は、操作パネルユニット１１の表示部に再起動確認画面を表示し、再起動操作を待機する。ユーザが再起動操作を行った場合、複合機１の再起動が実行される。その結果、起動時処理において、Ｓ４０６で不揮発性メモリに記憶されたＩＰアドレスで特定される認証サーバとの間で通信が行えるかどうかに基づいて、認証情報取得ユニット２４が正常に動作するか否かが判断される。
【００７５】
かかる構成によれば、管理者は、ログイン機能が有効に設定された状態で、認証サーバとの通信経路や認証サーバ自体に障害が生じた結果、認証情報取得ユニット２４が正常に動作せず、ログイン機能に障害が生じた場合でも、利用制限ユニット２５による利用制限を受けることなく設定変更モードに移行し、認証要求の送信先（認証サーバのＩＰアドレス）を変更することができる。従って、管理者が、設定変更モードにおいて、障害のない利用可能な他の認証サーバを認証要求の送信先として選択し、その後、複合機１を再起動すれば、利用希望ユーザは、障害のない認証サーバを利用して認証を受けることができるので、利用制限ユニット２５による利用制限のもと複合機１の基本機能を継続して利用することが可能となる。
【００７６】
また上記実施形態では、動作判断ユニット２７について、Ｓ１０２において、認証デバイスユニット１５、認証情報取得ユニット２４、及び利用制限ユニット２５のそれぞれが正常に動作するか否かを判断するように構成しているが、これらのユニットのうちいずれか１つ又は２つについて（例えば、認証デバイスユニット１５についてのみ）正常に動作するか否かを判断するように構成してもよい。
【００７７】
また上記実施形態では、設定変更モードへの移行操作として、操作パネルユニット１１に配された「各種設定」ボタンの押下操作、及び、それに続く管理者パスワードの入力操作を規定しているが、設定変更モードへの移行操作は、管理者のみが実施できるような操作を含むものであれば、設計に応じて任意に規定することができる。例えば、表示部に表示された設定変更モードへの移行を示す選択肢を選択する操作、及び、それに続く管理者パスワードの入力操作を、設定変更モードへの移行操作として規定してもよい。
【００７８】
また上記実施形態では、利用制限ユニット２５が、認証サーバ４による認証結果に基づいて、利用希望ユーザが利用権限を有するか否かを判断する構成としているが、例えば、複合機１の不揮発性メモリに正規ユーザのパスワード等を記憶しておき、利用制限ユニット２５が、前記記憶した正規ユーザのパスワード等と利用希望ユーザから操作パネルユニット１１を介して入力されるパスワード等とを照合することで、利用希望ユーザが利用権限を有するか否か（正規ユーザであるか否か）を判断するように構成してもよい。
【００７９】
また上記実施形態では、認証情報取得ユニット２４が認証デバイスユニット１５を利用して認証情報を取得する構成、すなわち、認証情報入力ユニットとして認証デバイスユニット１５を用いる構成としているが、例えば、認証情報取得ユニット２４が操作パネルユニット１１を利用して認証情報を取得する構成、すなわち、認証情報入力ユニットとして操作パネルユニット１１を用いる構成としてもよい。この場合、動作判断ユニット２７は利用制限ユニット２５について正常に動作するか否かを判断する。
【図面の簡単な説明】
【００８０】
【図１】情報処理システム１００の概略構成を示すブロック図である。
【図２】コントローラユニット１０が備える機能ユニットの例を示す。
【図３】複合機１の起動時処理を示すフローチャートである。
【図４】複合機１のログイン機能無効時処理を示すフローチャートである。
【図５】複合機１のログイン機能有効時処理を示すフローチャートである。
【図６】複合機１のログイン機能有効時処理を示すフローチャートである。
【図７】複合機１のログイン機能エラー時処理を示すフローチャートである。
【図８】基本機能メニュー画面の例を示す図である。
【図９】ログイン機能エラー時に表示される画面の例を示す図である。
【図１０】認証要求の送信先選択画面の例を示すである。
【符号の説明】
【００８１】
１  複合機、２  端末装置、３  ＦＡＸ装置、４  認証サーバ、１０  コントローラユニット、１１  操作パネルユニット、１２  プリンタユニット、１３  スキャナユニット、１４  ファックス通信ユニット、１５  認証デバイスユニット、２０  全体制御ユニット、２１  画像形成ユニット、２２  画像読取ユニット、２３  ファックスユニット、２４  認証情報取得ユニット、２５  利用制限ユニット、２６  設定変更ユニット、２７  動作判断ユニット、１００  情報処理システム
【図１】
0005156995.tif 000002
【図２】
0005156995.tif 000003
【図３】
0005156995.tif 000004
【図４】
0005156995.tif 000005
【図５】
0005156995.tif 000006
【図６】
0005156995.tif 000007
【図７】
0005156995.tif 000008
【図８】
0005156995.tif 000009
【図９】
0005156995.tif 000010
【図１０】
0005156995.tif 000011